(57)【要約】【解決手段】床構造を、床スラブ１の上面に載置された、全て同じ厚さを有する防震ブロックＳ１と、該防震ブロックＳ１に載置された、厚さが異なる床高調整ブロックＳ２から選択された床高調整ブロックＳ２と、該床高調整ブロックＳ２の上面に設置された床下地パネルＦ１とから構成したものである。【効果】適当な高さを有する床高調整ブロックを選択することにより、起伏を有する床スラブに施工される床構造の正確な水平出しを行うことができる。【選択図】図１
2009228360.tif 000002
【特許請求の範囲】
【請求項１】
床スラブの上面に載置された、全て同じ厚さを有する防震ブロックと、該防震ブロックに載置された、厚さが異なる床高調整ブロックから選択された床高調整ブロックと、該床高調整ブロックの上面に設置された床下地パネルとから構成されていることを特徴とする床構造。
【請求項２】
床高調整ブロックの上面に、全て同じ厚さを有する受台ブロックを載置し、該受台ブロックの上面に、床下地パネルが設置されていることを特徴とする請求項１に記載の床構造。
【請求項３】
床スラブに形成された交点に、同じ厚さを有する防震ブロックを配置し、次いで、防震ブロックの上面に、床スラブの１つの基準交点から、基準水平面としての水平レーザービームまでの基準高さと、床スラブの基準交点以外の交点から、基準水平面としての水平レーザービームまでの高さとの差を相殺するような厚さを有する床高調整ブロックを載置し、その後、床高調整ブロックの上面に、床下地パネルを設置するように構成されていることを特徴とする床構造の施工方法。
【請求項４】
床高調整ブロックの上面に、全て同じ厚さを有する受台ブロックを載置し、その後、受台ブロックの上面に、床下地パネルを設置するように構成されていることを特徴とする請求項３に記載の床構造の施工方法
【発明の詳細な説明】
【技術分野】
【０００１】
本願発明は、コンクリート製の床スラブ上に施工される床構造及び該床構造の施工方法に関するものである。
【背景技術】
【０００２】
従来、コンクリート製の床スラブ上に、高さ調整機構を有する脚部材を配設するとともに、脚部材の上に、支持板を介して、床下地パネルを載置し、この床下地パネルの上に、フローリング材を敷き詰めることにより形成された床構造が、一例として、特許文献１に開示されている。
【０００３】
コンクリート製の床スラブには、起伏があるので、水平な床構造を施工するために、床下地パネルの上面に、水平器を載置するとともに、脚部材の高さ調整機構のナットを上下動させることにより、床下地パネルの上面の水平出しを行い、床下地パネルを水平に施工することになる。このような水平出し作業を、床下地パネルの多くの箇所において行うことになる。
【０００４】
【特許文献１】特開２００４−２３８９２５号公報
【発明の開示】
【発明が解決しようとする課題】
【０００５】
上述した床構造においては、水平な床構造を施工するために、床下地パネルの上面に、作業者が乗って、水平器を、床下地パネルの上面に載置して、床下地パネルの水平出し作業を行うことになるが、床下地パネルの上に、作業者が乗った際に、床下地パネルが湾曲することになり、従って、床下地パネルの正確な水平出しを行うことができないという問題があった。
【０００６】
また、床下地パネルの多数箇所において、水平器を用いて、床下地パネルの水平出しを行っても、水平器付近の局部的な床下地パネルの水平出しを行うことができるが、床構造が施工されるコンクリート製の床スラブの全面に亘たって、床下地パネルの上面の水平出しを行うことは困難であった。
【０００７】
更に、作業者が、床下地パネルの上に乗らずに、水平器を用いて、床下地パネルの水平出しを行う場合でも、床下地パネル自体が、反り返っていたり、湾曲している場合があり、このような場合には、床下地パネルの正確な水平出しを行うことが困難であった。
【０００８】
本発明の目的は、上述した従来の床構造及び該床構造の施工方法が有する課題を解決することにある。
【課題を解決するための手段】
【０００９】
本発明は、上述した目的を達成するために、床構造を、第１には、床スラブの上面に載置された、全て同じ厚さを有する防震ブロックと、該防震ブロックに載置された、厚さが異なる床高調整ブロックから選択された床高調整ブロックと、該床高調整ブロックの上面に設置された床下地パネルとから構成したものであり、第２には、床高調整ブロックの上面に、全て同じ厚さを有する受台ブロックを載置し、該受台ブロックの上面に、床下地パネルを設置したものである。
【００１０】
本発明は、上述した目的を達成するために、床構造の施工方法において、第１には、床スラブに形成された交点に、同じ厚さを有する防震ブロックを配置し、次いで、防震ブロックの上面に、床スラブの１つの基準交点から、基準水平面としての水平レーザービームまでの基準高さと、床スラブの基準交点以外の交点から、基準水平面としての水平レーザービームまでの高さとの差を相殺するような厚さを有する床高調整ブロックを載置し、その後、床高調整ブロックの上面に、床下地パネルを設置するように構成したものであり、第２には、床高調整ブロックの上面に、全て同じ厚さを有する受台ブロックを載置し、その後、受台ブロックの上面に、床下地パネルを設置するように構成したものである。
【発明の効果】
【００１１】
床構造を、床スラブの上面に載置された、全て同じ厚さを有する防震ブロックと、該防震ブロックに載置された、厚さが異なる床高調整ブロックから選択された床高調整ブロックと、該床高調整ブロックの上面に設置された床下地パネルとから構成したので、適当な高さを有する床高調整ブロックを選択することにより、起伏を有する床スラブに施工される床構造の正確な水平出しを行うことができる。
【００１２】
また、床高調整ブロックの上面に、全て同じ厚さを有する受台ブロックを載置し、該受台ブロックの上面に、床下地パネルを設置したので、床スラブから、床下地パネルまでの高さの高い床構造を施工することができる。
【００１３】
床スラブに形成された交点に、同じ厚さを有する防震ブロックを配置し、次いで、防震ブロックの上面に、床スラブの１つの基準交点から、基準水平面としての水平レーザービームまでの基準高さと、床スラブの基準交点以外の交点から、基準水平面としての水平レーザービームまでの高さとの差を相殺するような厚さを有する床高調整ブロックを載置し、その後、床高調整ブロックの上面に、床下地パネルを設置するように構成したので、床スラブの全面に亘たって、床構造の正確な水平出しを行うことができる。
【００１４】
また、床高調整ブロックの上面に、全て同じ厚さを有する受台ブロックを載置し、その後、受台ブロックの上面に、床下地パネルを設置するように構成したので、床スラブから、床下地パネルまでの高さの高い床構造を施工することができる。
【００１５】
更に、従来のように、水平器を用いて、床下地パネルの水平出しを行うのではなく、反り返りや湾曲のない床高調整ブロックの水平出しを行うようにしたので、床下地パネル自体が反り返っていたり、湾曲していても、精度の高い床下地パネルの水平出しを行うことができる。
【実施例】
【００１６】
以下に、本発明の床構造及び該床構造の施工方法について説明するが、本発明の趣旨を越えない限り、何ら、本実施例に何ら限定されるものではない。なお、以下の実施例においては．床構造が施工される部屋の平面形状が、方形の場合について説明するが、部屋の平面形状は、何ら方形に限定されるものではない。
【００１７】
図１及び図２において、１は、コンクリート製の床スラブ（以下、単に、床スラブと称する。）であり、２は、壁Ｗである。
【００１８】
図２に示されているように、墨壺等を使用して、線引きを行う。線引きは、先ず最初に、壁Ｗから所定の距離を置いて、壁Ｗ付近に位置する床スラブ１の上面に、壁Ｗに沿って、線（以下、この線を、壁近傍線と称する。）Ｌ１、Ｌ２を引く。次いで、相対する一方の壁近傍線Ｌ１間に、所定の間隔で、壁近傍線Ｌ１に平行に、適当数の線Ｌ１ａを引くとともに、同様に、相対するもう一方の壁近傍線Ｌ２間にも、所定の間隔で、壁近傍線Ｌ２に平行に、適当数の線Ｌ２ａを引く。このようにして、床スラブ１の上面には、図２に示されているように、壁近傍線Ｌ１と壁近傍線Ｌ２との壁Ｗの隅部付近に位置する交点Ｐ１、一方の壁近傍線Ｌ１と該壁近傍線Ｌ１に直交する線Ｌ２ａとの一方の壁近傍線Ｌ１に沿った交点Ｐ２、もう一方の壁近傍線Ｌ２と該壁近傍線Ｌ２に直交する線Ｌ１ａとのもう一方の壁近傍線Ｌ２に沿った交点Ｐ３及び一方の壁近傍線Ｌ１に平行な線Ｌ１ａともう一方の壁近傍線Ｌ２に平行な線Ｌ２ａとの交点Ｐ４が形成されることになる。
【００１９】
次いで、図３に示されているように、床スラブ１の上面の適当な箇所に、例えば、中央部に、公知のレーザーレベル計Ｍを載置して、水平レーザービームｍ１を放射状に発射する。
【００２０】
その後、図４に示されているように、床スラブ１の上面に、物差しＲを載置して、床スラブ１の上面に形成された各交点Ｐ１〜Ｐ４から、レーザーレベル計Ｍの水平レーザービームｍ１迄の高さを測定する。このようにして、各交点Ｐ１〜Ｐ４の全てにおける、基準水平面としての水平レーザービームｍ１から床スラブ１の上面までの高さ測定を行う。
【００２１】
上述した各交点Ｐ１〜Ｐ４から、レーザーレベル計Ｍの水平レーザービームｍ１迄の高さのうち、１つの特定の交点Ｐ１〜Ｐ４（以下、基準交点と称し、符号Ｐ０を付す。）の床スラブ１の上面から、水平レーザービームｍ１までの高さを、基準高さと称し、符号Ｈ０を付す。そして、基準交点Ｐ０以外の各交点Ｐ１〜Ｐ４における床スラブ１の上面から、水平レーザービームｍ１までの高さＨ１、Ｈ２・・・と基準高さＨ０との差Δｈ１（Ｈ０−Ｈ１）、Δｈ２（Ｈ０−Ｈ２）・・・を、基準交点Ｐ０以外の各交点Ｐ１〜Ｐ４において計算しておく。
【００２２】
次に、図１及び図５を用いて、上述した各交点Ｐ１〜Ｐ４に配置される床下地パネル受け部材Ｓについて説明する。
【００２３】
Ｓ１は、床下地パネル受け部材Ｓを構成するゴム等からなる平面形状が正方形状の防震ブロックであり、防震ブロックＳ１は、角柱状の角柱部ｓ１と角柱部ｓ１の裏面に垂設された複数の柱状部ｓ２とから構成されている。全ての防震ブロックＳ１の厚さｔ１は同じであり、防震ブロックＳ１は、全て、同一形状に形成されている。
【００２４】
Ｓ２は、防震ブロックＳ１の上面に載置される、平面形状が正方形状の床高調整ブロックであり、床高調整ブロックＳ２の平面形状は、防震ブロックＳ１の平面形状と略同一に形成されており、また、床高調整ブロックＳ２には、その厚さｔ２が異なる、多数の床高調整ブロックＳ２が用意されている。
【００２５】
床高調整ブロックＳ２には、基準交点Ｐ０に配置される特定の１つの床高調整ブロック（以下、この床高調整ブロックを、基準床高調整ブロックと称し、符号Ｓ２ａを付す。）の厚さ（以下、この厚さを、基準厚さと称し、符号ｔ０を付す。）から、所定の単位厚さ（例えば、１ｍｍ単位）で異なる厚さｔ２を有する多数の床高調整ブロックＳ２が用意されている。例えば、基準床高調整ブロックＳ２ａの基準厚さｔ０より、１ｍｍ厚い床高調整ブロックＳ２や２ｍｍ厚い床高調整ブロックＳ２や３ｍｍ厚い床高調整ブロックＳ２等を用意したり、或いは／及び、基準床高調整ブロックＳ２ａの基準厚さｔ０より、１ｍｍ薄い床高調整ブロックＳ２や２ｍｍ薄い床高調整ブロックＳ２や３ｍｍ薄い床高調整ブロックＳ２等を用意しておく。
【００２６】
基準交点Ｐ０及び基準交点Ｐ０以外の交点Ｐ１〜Ｐ４が位置する床スラブ１の上面に、接着剤や釘、ビス等の適当な固着具を用いて、全て同じ厚さｔ１を有する防震ブロックＳ１を取り付ける。その後、基準交点Ｐ０に取り付けられた防震ブロックＳ１の上面に、基準床高調整ブロックＳ２ａを、接着剤や釘、ビス等の適当な固着具を用いて取り付けるとともに、基準交点Ｐ０以外の交点Ｐ１〜Ｐ４に取り付けられた防震ブロックＳ１の上面に、床高調整ブロックＳ２を、同じく、接着剤や釘、ビス等の適当な固着具を用いて取り付けることになるが、この際、厚さｔ２の異なる多数の床高調整ブロックＳ２の中から、上述したようにして計算された、基準交点Ｐ０以外の交点Ｐ１〜Ｐ４に位置する床スラブ１の上面から、水平レーザービームｍ１までの高さＨ１、Ｈ２・・・と基準交点Ｐ０の基準高さＨ０との差Δｈ１（Ｈ０−Ｈ１）、Δｈ２（Ｈ０−Ｈ２）・・・を相殺するような厚さを有する床高調整ブロックＳ２を選択し、このようにして選択された床高調整ブロックＳ２を、防震ブロックＳ１に載置する。
【００２７】
図６を用いて、より具体的に、基準交点Ｐ０以外の交点Ｐ１〜Ｐ４に位置する床スラブ１の上面から、水平レーザービームｍ１までの高さＨ１、Ｈ２・・・と基準交点Ｐ０の基準高さＨ０との差Δｈ１（Ｈ０−Ｈ１）、Δｈ２（Ｈ０−Ｈ２）・・・を相殺するような高さを有する床高調整ブロックＳ２の選択について説明する。なお、一例として、基準交点Ｐ０以外の交点Ｐ１〜Ｐ４が位置する床スラブ１の上面から、水平レーザービームｍ１までの高さＨ１、Ｈ２が、基準交点Ｐ０の床スラブ１の上面からの基準高さＨ０より高い場合を用いて説明する。
【００２８】
基準交点Ｐ０以外の所定の交点Ｐ’から水平レーザービームｍ１までの高さＨ１と、基準交点Ｐ０との高さＨ０との差が、Δｈ１（Ｈ１−Ｈ０）の場合には、基準床高調整ブロックＳ２ａの厚さｔ０よりも、Δｈ１だけ厚い厚さｔ２’を有する床高調整ブロックＳ２を選択し、このようにして選択された床高調整ブロックＳ２を、防震ブロックＳ１に載置する。このように、床高調整ブロックＳ２を、適宜、選択することにより、基準交点Ｐ０に配置された防震ブロックＳ１に載置された基準床高調整ブロックＳ２ａの上面と、基準交点Ｐ０以外の所定の交点Ｐ’に配置された防震ブロックＳ１に載置に載置された床高調整ブロックＳ２の上面とが、同一水平面となる水平出しを行うことができる。同様に、基準交点Ｐ０以外の所定の交点Ｐ”から水平レーザービームｍ１までの高さＨ２と、基準交点Ｐ０との高さＨ０との差が、Δｈ２（Ｈ１−Ｈ０）の場合には、基準床高調整ブロックＳ２ａの厚さｔ０よりも、Δｈ２だけ厚い厚さｔ２”を有する床高調整ブロックＳ２を選択し、このようにして選択された床高調整ブロックＳ２を、防震ブロックＳ１に載置する。このように、床高調整ブロックＳ２を、適宜、選択することにより、基準交点Ｐ０に配置された防震ブロックＳ１に載置された基準床高調整ブロックＳ２ａの上面と、基準交点Ｐ０以外の所定の交点Ｐ’、点Ｐ”に配置された防震ブロックＳ１に載置に載置された床高調整ブロックＳ２の上面とが、同一水平面となる水平出しを行うことができる。
【００２９】
上述したような水平出し作業を、基準交点Ｐ０以外の交点Ｐ１〜Ｐ４の全てについて行うことにより、床スラブ１の上面から、防震ブロックＳ１を介して、配設された、基準床高調整ブロックＳ２ａの上面を含め、全ての床高調整ブロックＳ２の上面を同一水平面とすることができる。
【００３０】
その後、水平出しされた床高調整ブロックＳ２の上面に、図１及び図５に示されているような、同一の厚さｔ３を有する平面形状が正方形状の受台ブロックＳ３を、接着剤や釘、ビス等の適当な固着具を用いて取り付ける。
【００３１】
次いで、受台ブロックＳ３の上面に、同じ厚さを有する床下地パネルＦ１を敷き詰めるとともに、ビスや釘等の適当な固着具を用いて、床下地パネルＦ１を、受台ブロックＳ３に固着する。図８には、一例として、長方形状の床下地パネルＦ１が使用されており、一方の長辺が、壁Ｗの相対する長辺に近接するように、それぞれ、２枚の床下地パネルＦ１を、防震ブロックＳ１と床高調整ブロックＳ２と受台ブロックＳ３とからなる床下地パネル受け部材Ｓに載置する。また、一方の壁Ｗに近接して設置された２枚の床下地パネルＦ１ともう一方の壁Ｗに近接して設置された２枚の床下地パネルＦ１との間に形成された中間領域の中央部には、１枚の床下地パネルＦ１を設置し、該床下地パネルＦ１の両側には、短辺に沿って半分に切断された床下地パネルＦ１を設置することにより、壁Ｗにより囲まれた領域に、床下地パネルＦ１が敷設されることになる。
【００３２】
その後、床下地パネルＦ１の上面に、フローリング材Ｆ２を敷き詰めることにより、図１に示されているような、上面が水平な床構造が施工されることになる。また、隣接する床下地パネルＦ１の互いに対向する垂直端面ｆ１は、床下地パネル受け部材Ｓを構成する受台ブロックＳ３の上面に位置するように構成されている。
【００３３】
なお、上述した実施例においては、床高調整ブロックＳ２の上面に、受台ブロックＳ３を載置し、受台ブロックＳ３の上面に、床下地パネルＦ１を載置した例が示されているが、受台ブロックＳ３を省略し、床下地パネルＦ１を、直に、床高調整ブロックＳ２の上面に載置することもできる。
【００３４】
床構造が、床スラブ１の上面に載置された、全て同じ厚さｔ１を有する防震ブロックＳ１と、該防震ブロックＳ１に載置された床高調整ブロックＳ２とを有しているので、厚さｔ２が異なる床高調整ブロックＳ２から、適当な厚さを有する床高調整ブロックＳ２を選択することにより、起伏を有する床スラブ１に施工される床構造の正確な水平出しを行うことができる。
【００３５】
基準交点Ｐ０における床スラブ１の上面から水平レーザービームｍ１までの基準高さＨ０及び基準交点Ｐ０以外の床スラブ１の上面から水平レーザービームｍ１までの高さＨ１、Ｈ２・・・を、それぞれ測定するとともに、基準交点Ｐ０の基準高さＨ０と基準交点Ｐ０以外の交点Ｐ１〜Ｐ４における床スラブ１の上面から水平レーザービームｍ１までの高さＨ１、Ｈ２・・・との差Δｈ１（Ｈ０−Ｈ１）、Δｔ２（Ｈ０−Ｈ２）・・・を計算し、次いで、同じ厚さｔ１を有する防震ブロックＳ１を、床スラブ１に載置し、その後、防震ブロックＳ１の上面に、上記の差Δｈ１（Ｈ０−Ｈ１）、Δｈ２（Ｈ０−Ｈ２）・・・を相殺するような厚さｔ２を有する床高調整ブロックＳ２を載置するように構成したので、床スラブ１の全面に亘たって、床構造の正確な水平出しを行うことができる。
【００３６】
更に、従来のように、床下地パネルＦ１の上面に、作業者が乗ることにより、湾曲した状態の床下地パネルＦ１の上面に、水平器を載置して、床下地パネルＦ１の水平出し作業を行うようなことがないので、床構造の正確な水平出しを行うことができる。
【００３７】
更にまた、従来のように、水平器を用いて、床下地パネルＦ１の水平出しを行うのではなく、上述した床構造の施工方法により、反り返りや湾曲のない床高調整ブロックＳ２の上面の水平出しを行うようにしたので、同じく、反り返りや湾曲のない受台ブロックＳ３を介して、床高調整ブロックＳ２に載置される床下地パネルＦ１自体が反り返っていたり、湾曲していても、精度の高い床下地パネルＦ１の水平出しを行うことができる。
【００３８】
なお、上述した床下地パネルＦ１の裏面に、予め、防震ブロックＳ１、床高調整ブロックＳ２及び受台ブロックＳ３からなる床下地パネル受け部材Ｓを、接着剤や釘、ビス等の適当な固着具を用いて取り付けておき、このように、床下地パネル受け部材Ｓが取り付けられた床下地パネルＦ１を、床スラブ１に配置することもできる。
【図面の簡単な説明】
【００３９】
【図１】図１は、本発明の床構造の垂直断面図である。
【図２】図２は、線引きされた状態の床スラブの平面図である。
【図３】図３は、本発明の床構造を施工する順序を説明するための垂直断面図である。
【図４】図４は、同じく、本発明の床構造を施工する順序を説明するための垂直断面図である。
【図５】図５は、本発明の床構造を構成する防震ブロック、床高調整ブロック及び受台ブロックからなる床下地パネル受け部材の分解斜視図である。
【図６】図６は、本発明の床構造を施工する順序を説明するための垂直断面図である。
【図７】図７は、線引きにより形成された交点に、床下地パネル受け部材が配置された状態の床スラブの平面図である。
【図８】図８は、床下地パネル受け部材に、床下地パネルが敷きつめられた状態の平面図である。
【符号の説明】
【００４０】
Ｆ１・・・・・・・・・・床下地パネル
Ｍ・・・・・・・・・・・レーザーレベル計
ｍ１・・・・・・・・・・レーザービーム
Ｐ１〜Ｐ４・・・・・・・交点
Ｓ・・・・・・・・・・・床下地パネル受け部材
Ｓ１・・・・・・・・・・防震ブロック
Ｓ２・・・・・・・・・・床高調整ブロック
Ｓ３・・・・・・・・・・受台ブロック
Ｗ・・・・・・・・・・・壁
１・・・・・・・・・・・床スラブ
【図１】
2009228360.tif 000003
【図２】
2009228360.tif 000004
【図３】
2009228360.tif 000005
【図４】
2009228360.tif 000006
【図５】
2009228360.tif 000007
【図６】
2009228360.tif 000008
【図７】
2009228360.tif 000009
【図８】
2009228360.tif 000010